(57)【要約】【課題】木製の上下の枠部材と、金属製の左右の枠部材を連結する構造が容易な構成で、かつ枠部材と別個に連結部材のみを交換することができ、かつ枠外周面に凹凸が形成され難い構成になっている遊技機の外枠を提供する。【解決手段】上下の枠部材２，５が木製で、左右の枠部材３，４が金属製である遊技機の外枠１であって、上下左右の枠部材２〜５を連結する連結部材１０〜１３は、枠部材２〜５と別個に形成され、左右の枠部材３，４の上下端部の枠内側面に取付けられる取付脚と、左右の枠部材の上下端部から突出するほぞ部１０ｃ〜１３ｃを有している。上下の枠部材２，５は、ほぞ部１０ｃ〜１３ｃが差し込まれる溝部２ａ，５ａを有している。枠組みした上下左右の枠部材２〜５の枠外周面角部には、前枠を回動可能に支持する上蝶番１４以外に、断面Ｌ字状のＬ字部材が取付けられていない。【選択図】図２
2007289565.tif 000002
【特許請求の範囲】
【請求項１】
矩形状に枠組みされる上下左右の枠部材を有し、上下の枠部材が木製であり、左右の枠部材が金属製または樹脂製である遊技機の外枠であって、
前記上下左右の枠部材を連結する連結部材を有し、
前記連結部材は、前記枠部材と別個に形成され、前記左右の枠部材の上下いずれかの端部の枠内側面に取付けられる取付脚と、前記左右の枠部材の上下端部から上方または下方に突出するほぞ部を有し、
前記上下の枠部材は、左右両端部に前記ほぞ部が差し込まれる溝部を有し、
枠組みした前記上下左右の枠部材の枠外周面角部には、前枠を回動可能に支持する上蝶番以外に、断面Ｌ字状のＬ字部材が取付けられていないことを特徴とする遊技機の外枠。
【請求項２】
請求項１に記載の遊技機の外枠であって、
連結部材は、断面Ｌ字状であって、左右の枠部材の枠内側面に取付けられる取付脚と上下の枠部材の枠内側面に取付けられる取付片とを備える一対のＬ字部と、これらＬ字部の取付片間に設けられるほぞ部とを有していることを特徴とする遊技機の外枠。
【発明の詳細な説明】
【技術分野】
【０００１】
本発明は、遊技島に取付けられるパチンコ機やスロットマシンなどの遊技機の外枠に関する。
【背景技術】
【０００２】
従来、様々な外枠が知られている。例えば特許文献１に係る外枠は、矩形状に枠組みされる上下左右の枠部材を有し、上下の枠部材が木製であり、左右の枠部材が鋼板製である。そのため左右の枠部材が木製の枠部材に比べて肉厚が薄く、内枠領域面積が広くなっているために、外枠は、盤面拡大の要求に応え得る構成になっている。また上下の枠部材が木製であるために、複数の外枠を運搬する際には、並設した複数の外枠の上下いずれかの枠部材に桟木を橋渡し、その桟木を木製の枠部材に釘付けすることができる。そのため複数の外枠を荷崩れ防止した状態で運搬することができる。
【特許文献１】特開２００５−８７５７８号公報
【発明の開示】
【発明が解決しようとする課題】
【０００３】
しかし外枠は、上下左右の枠部材の連結構造として、左右の枠部材の上下両端部から枠内側に延出する連結部を有しており、その連結部に上下の枠部材が差し込まれる構成になっていた。そのため連結部が左右の枠部材に一体に形成されているために、連結構造は、複雑な構成になっており、強度を十分に得ることが容易でない構造になっていた。しかも連結部が破損した際には、左右の枠部材全体を交換する必要もあった。
【０００４】
また外枠は、遊技島に取付けられるために、枠外周面に凹凸が少ない構成が好まれている。
そこで本発明は、上下の枠部材が木製であり、左右の枠部材が金属製または樹脂製である外枠であって、これら枠部材を連結する構造が容易な構成で、かつ枠部材と別個に連結部材のみを交換することができ、かつ枠外周面に凹凸が形成され難い構成になっている遊技機の外枠を提供することを課題とする。
【課題を解決するための手段】
【０００５】
前記課題を解決するために本発明は、各請求項に記載の通りの構成を備える遊技機の外枠であることを特徴とする。
請求項１に記載の発明によると、外枠は、上下左右の枠部材を連結する連結部材を有している。連結部材は、枠部材と別個に形成され、左右の枠部材の上下いずれかの端部の枠内側面に取付けられる取付脚と、左右の枠部材の上下端部から上方または下方に突出するほぞ部を有している。上下の枠部材は、左右両端部にほぞ部が差し込まれる溝部を有している。枠組みした上下左右の枠部材の枠外周面角部には、前枠を回動可能に支持する上蝶番以外に、断面Ｌ字状のＬ字部材が取付けられていない。
【０００６】
したがって連結部材は、枠部材と別個に形成されるために簡易な構成になっている。しかも連結部材は、組付け時等に破損した際に、枠部材と別個に交換され得る。また連結部材は、木製の枠部材に対してほぞ嵌合されるために、木製の枠部材に対して強く結合し、枠内側から枠部材間を強固に連結し得る。
また外枠は、枠外周面角部に上蝶番以外にＬ字状のＬ字部材が取付けられていない。したがって外枠は、枠外周面に凹凸が形成され難い構成であるために、遊技島に対して円滑に取付けられやすい。
【０００７】
請求項２に記載の発明によると、連結部材は、断面Ｌ字状であって、左右の枠部材の枠内側面に取付けられる取付脚と上下の枠部材の枠内側面に取付けられる取付片を有する一対のＬ字部と、これらＬ字部の取付片間に設けられるほぞ部とを有している。
したがってほぞ部は、一対のＬ字部によって両側が支持されるために、安定良く枠部材に取付けられ、かつ上下いずれかの枠部材に対して安定良く嵌合する。
【発明の効果】
【０００８】
本発明によると、木製の上下の枠部材と、金属製または樹脂製の左右の枠部材を連結する構造が簡易な構成になり、かつ枠部材は別個に連結部材のみを交換することができ、かつ枠外周面の凹凸が形成され難い構成になる。
【発明を実施するための最良の形態】
【０００９】
本発明の実施の形態を図１〜１２にしたがって説明する。
外枠１は、図１，２に示すように矩形枠状であって、木製の上下の枠部材２，５と、アルミニウム製の左右の枠部材３，４と、これら枠部材２〜５を連結する連結部材１０〜１３を有している。外枠１の左下には、図１，３に示すように前枠の左下端部を回動可能に支持する下蝶番７が取付けられており、左上には、前枠の左上端部を回動可能に支持する上蝶番１４が取付けられている。
【００１０】
右下の連結部材１３には、図１，４に示すように前枠の下端部を滑り上げるための滑り板８が一体に形成されている。
左右の枠部材３，４の下端部手前側間には、従来、前枠を下側から支持するために必要であった幕板が設けられていない。そして幕板が設けられていないが、左右の枠部材３，４の下端部手前側間には、これらの間を覆い飾る飾り板６が配設されている。
【００１１】
上下の枠部材２，５は、図２に示すように左右両端部に溝部２ａ，５ａを有している。
溝部２ａ，５ａは、枠部材２，５の端部中央から凹設されており、厚み方向に貫通している。
左右の枠部材３，４は、図２，７に示すように木製の上下の枠部材２，５の厚さ（約１９ｍｍ）よりも薄く、例えば厚さ３〜６ｍｍの薄板状になっている。
右の枠部材４は、後ろ寄り位置（図２左位置）に上下に延出するレール部４ａを有している。
【００１２】
レール部４ａは、図２，６に示すように右の枠部材４よりも短くなっており、右の枠部材４の上下端縁とレール部４ａの上下端縁の間にスペース４ｄ，４ｅを形成している。そしてスペース４ｄ，４ｅに上下の枠部材２，５の右端部が設置される。
レール部４ａの上下部は、連結部材１２，１３の一部が挿入される挿入取付部４ｂ，４ｃになっている。すなわち挿入取付部４ｂ，４ｃが、右の枠部材４の上下両端部の後ろ寄り位置に形成されており、挿入取付部４ｂ，４ｃの取付孔４ｂ１，４ｃ１に連結部材１２，１３の取付脚が挿入される。
【００１３】
左の枠部材３は、図２，３に示すように右の枠部材４と左右対称に形成されており、後ろ寄り位置にレール部３ａを有している。そしてレール部３ａの上下部（挿入取付部）である挿入取付部に、連結部材１０，１１の取付脚が挿入される。
【００１４】
連結部材１０〜１３は、図２に示すように鋼材などの板金から形成される金具であって、外枠１の枠内側に配設される。
連結部材１２は、図５に示すように一対の断面Ｌ字状のＬ字部１２ａ，１２ｂと、Ｌ字部１２ａ，１２ｂの間に形成されるほぞ部１２ｃを一体に有している。
【００１５】
Ｌ字部１２ａ，１２ｂは、図５，７に示すように右の枠部材４の後ろ寄り位置と前寄り位置に並設される。
後ろ寄りのＬ字部１２ａは、取付脚１２ａ１と取付片１２ａ２を有している。取付脚１２ａ１は、右の枠部材４の挿入取付部４ｂに挿入されて右の枠部材４の枠内側面に取付けられる（図８参照）。取付片１２ａ２は、上の枠部材２の下面（枠内側面）に取付けられる。
【００１６】
前寄りのＬ字部１２ｂは、図５，７に示すように取付脚１２ｂ１と取付片１２ｂ２を有している。取付脚１２ｂ１は、右の枠部材４の枠内側面に取付けられる（図８参照）。取付片１２ｂ２は、上の枠部材２の下面（枠内側面）に取付けられる。
ほぞ部１２ｃは、図５に示すように取付片１２ａ２，１２ｂ２から上方に延出する一対の延出片１２ｃ１，１２ｃ２と、一対の延出片１２ｃ１，１２ｃ２を連結する連結片１２ｃ３を有している。そしてほぞ部１２ｃは、上の枠部材２の溝部２ａに嵌合される。
【００１７】
左上の連結部材１０は、図２に示すように連結部材１２と左右対称に形成されており、一対のＬ字部とほぞ部を有している。一対のＬ字部は、左の枠部材３の枠内側面に取付けられる取付脚と、上の枠部材２の枠内側面に取付けられる取付片を有している。後ろ側のＬ字部の取付脚は、左の枠部材３の上端部に形成された挿入取付部に挿入された状態で左の枠部材３の枠内側面に取付けられる。ほぞ部は、一対の取付片間に形成され、上の枠部材２の溝部２ａに嵌合される。
【００１８】
左下の連結部材１１は、図２，９に示すように連結部材１２と同じ形状になっており、一対のＬ字部１１ａ，１１ｂとほぞ部１１ｃを有している。一対のＬ字部１１ａ，１１ｂは、左の枠部材３の枠内側面に取付けられる取付脚１１ａ１，１１ｂ１と、下の枠部材５の上面（枠内側面）に取付けられる取付片１１ａ２，１１ｂ２を有している。後ろ側の取付脚１１ａ１は、左の枠部材３の下端部に形成された挿入取付部に挿入された状態で左の枠部材３の枠内側面に取付けられる。ほぞ部１１ｃは、一対の取付片１１ａ２，１１ｂ２間に形成され、下の枠部材５の溝部５ａに嵌合される。
【００１９】
右下の連結部材１３は、図１０，１１に示すように一対のＬ字部１３ａ，１３ｂとほぞ部１３ｃを有している。一対のＬ字部１３ａ，１３ｂは、右の枠部材４の枠内側面に取付けられる取付脚１３ａ１，１３ｂ１と、下の枠部材５の上面（枠内側面）に取付けられる取付片１３ａ２，１３ｂ２を有している。後ろ側の取付脚１３ａ１は、右の枠部材４の下端部に形成された挿入取付部に挿入された状態で右の枠部材４の枠内側面に取付けられる。ほぞ部１３ｃは、一対の取付片１３ａ２，１３ｂ２間に形成され、下の枠部材５の溝部５ａに嵌合される。
【００２０】
Ｌ字部１３ｂの取付片１３ｂ２には、滑り板８と支持部１３ｅが一体に設けられている。
支持部１３ｅは、図１１（Ｂ）に示すように取付片１３ｂ２から左方向延出しており、図１０に示すように支持部１３ｅに飾り板６の取付部６ｂが取付けられる。
滑り板８は、図１０，１１に示すように断面Ｌ字状であって、立設部８ａと張出部８ｂを有している。立設部８ａは、取付片１３ｂ２に一体に形成されており、取付片１３ｂ２の前端縁から上方に延出している。張出部８ｂは、立設部８ａの上端縁から手前側に張出しており、下の枠部材５の上方にて下の枠部材５よりも手前側に張出している。このため滑り板８は、前枠の下端部を滑り上げ、滑り板８を下側から支持する構成になっている。
【００２１】
外枠１の左側の上下部には、図２に示すように前枠を回動可能に支持する上蝶番１４と下蝶番７が取付けられている。
上蝶番１４は、鋼材などの金属材から形成されており、本体板部１４ａと突出部１４ｂと取付板部１４ｃを一体に有している。本体板部１４ａは、上の枠部材２の上面（枠外周面）に設置されてねじ２０にて連結部材１０とともに上の枠部材２に共締めされる。突出部１４ｂは、本体板部１４ａの前端部から手前側に突出しており、前枠の左側上端部を回動可能に支持する。取付板部１４ｃは、左の枠部材３の枠外周側面に設置されてねじ２０にて連結部材１０とともに左の枠部材３に共締めされる。
【００２２】
下蝶番７は、鋼材などの金属材から形成されており、図３，９に示すように本体取付部７ａと立設部７ｂと張出部７ｃを一体に有している。
本体取付部７ａは、連結部材１１の上方に設置されてねじ２０にて連結部材１１とともに下の枠部材５に共締めされる。
立設部７ｂは、本体取付部７ａの前端縁から上方に延出している。
張出部７ｃは、立設部７ｂの上端縁から手前側に延出し、前端近傍位置に突出部７ｄを有している。突出部７ｄは、上方に突出しており、突出部７ｄに前枠の左側下端部が回動可能に取付けられる。
【００２３】
図９に示すように本体取付部７ａの右端縁（図９左端縁）には、右方向（図９左方向）に延出する支持部７ｅが形成されている。支持部７ｅには、飾り板６の取付部６ａがねじ２０によって取付けられる。
本体取付部７ａの左端縁（図９右端縁）には、上方に突出して連結部材１１の取付脚１１ｂ１に沿うことで、下蝶番７の位置ズレを防止する位置ズレ防止部７ｆが形成されている。本体取付部７ａの中央には、下方に張出して連結部材１１のほぞ部１１ｃに沿うことで、下蝶番７の位置ズレを防止する位置ズレ防止部７ｇが形成されている。
【００２４】
図１に示すように右の枠部材４のレール部４ａには、上寄り位置と下寄り位置に係止爪１７，１８が取付けられている。
係止爪１７，１８は、外枠１に回動可能に取付けられる前枠の施錠装置が係止される部材であって、爪本体１７ａ，１８ａと保持板１７ｂ，１８ｂを有している。爪本体１７ａ，１８ａと保持板１７ｂ，１８ｂは、隙間を有した状態でねじにて連結され、保持板１７ｂ，１８ｂが右の枠部材４のレール部４ａに挿入され、爪本体１７ａ，１８ａがレール部４ａよりも枠中心側に配設される。そして係止爪１７，１８をレール部４ａに沿って上下に位置調整して、ねじの締付けによって係止爪１７，１８をレール部４ａに固定する。
【００２５】
飾り板６は、図１に示すように外枠１の下側部を装飾する部材であって、左右の枠部材３，４の下端部手前側間に配設される。飾り板６は、樹脂製であって、図２に示すように後方に延出する一対の取付部６ａ，６ｂを有している。取付部６ａは、図９に示すように下蝶番７の支持部７ｅの上面にねじ２０にて取付けられ、取付部６ｂは、図１０に示すように連結部材１３の支持部１３ｅの上面にねじ２０にて取付けられる。
【００２６】
外枠１の組付け方法は、先ず、図２に示すように右の枠部材４のレール部４ａに係止爪１７，１８を取付ける。
次に、左右の枠部材３，４の上下いずれかの端部の枠内側面に連結部材１０〜１３をねじ１０にて取付け、左の枠部材３と連結部材１０，１１とを一体にし、右の枠部材４と連結部材１２，１３とを一体にする。そして連結部材１０〜１３のほぞ部１０ｃ〜１３ｃに上下の枠部材２，５の溝部２ａ，５ａを嵌合し、連結部材１０〜１３と上下の枠部材２，５をねじ２０にて固定する。
【００２７】
次に、上蝶番１４を上の枠部材２の上に設置し、上蝶番１４をねじ２０によって上の枠部材２と左の枠部材３に取付ける。そして下蝶番７を下の枠部材５に設置し、下蝶番７をねじ２０によって下の枠部材５に取付ける。そして飾り板６を枠部材２〜５側に取付ける。
【００２８】
以上のようにして外枠１が形成される。
すなわち図２に示すように外枠１は、上下左右の枠部材２〜５を連結する連結部材１０〜１３を有している。連結部材１０〜１３は、枠部材２〜５と別個に形成され、左右の枠部材３，４の上下いずれかの端部の枠内側面に取付けられる取付脚と、左右の枠部材３，４の上下端部から上方または下方に突出するほぞ部１０ｃ〜１３ｃを有している。上下の枠部材２，５は、左右両端部にほぞ部１０ｃ〜１３ｃが差し込まれる溝部２ａ，５ａを有している。枠組みした上下左右の枠部材２〜５の枠外周面角部には、前枠を回動可能に支持する上蝶番１４以外に、断面Ｌ字状のＬ字部材が取付けられていない。
【００２９】
したがって連結部材１０〜１３は、枠部材２〜５と別個に形成されるために簡易な構成になっている。しかも連結部材１０〜１３は、組付け時等に破損した際に、枠部材２〜５を交換することなく交換され得る。また連結部材１０〜１３は、木製の枠部材２，５に対してほぞ嵌合されるために、木製の枠部材２，５に対して強く結合し、枠内側から枠部材２〜５間を強固に連結し得る。
また外枠１は、枠外周面角部に上蝶番１４以外にＬ字状のＬ字部材が取付けられていない。したがって外枠１は、枠外周面に凹凸が形成され難い構成であるために、遊技島に対して円滑に取付けられやすい。
【００３０】
また連結部材１０〜１３は、図２に示すように断面Ｌ字状であって、左右の枠部材３，４の枠内側面に取付けられる取付脚と上下の枠部材２，５の枠内側面に取付けられる取付片を有する一対のＬ字部と、これらＬ字部の取付片間に設けられるほぞ部１０ｃ〜１３ｃとを有している。
したがってほぞ部１０ｃ〜１３ｃは、一対のＬ字部によって両側が支持されるために、安定良く枠部材２〜５に取付けられ、かつ上下いずれかの枠部材２，５に対して安定良く嵌合する。
【００３１】
また図１に示すように左右の枠部材３，４がアルミニウム製であって、木製の枠部材に比べて肉厚が薄く、内枠領域面積が広くなっているために、外枠１は、盤面拡大の要求に応え得る構成になっている。
また上下の枠部材２，５が木製であるために、複数の外枠１を運搬する際には、並設した複数の外枠１の上下いずれかの枠部材２，５に桟木を橋渡し、その桟木を木製の枠部材２，５に釘付けすることができる。そのため複数の外枠１を荷崩れ防止した状態で運搬することができる。
【００３２】
（他の実施の形態）
本発明は、上記実施の形態に限定されず、以下の形態であっても良い。
（１）例えば上記実施の形態に係る上蝶番１４は、図２に示すように断面Ｌ字状であって、上の枠部材２と左の枠部材３の枠外周面に取付けられる形態であった。しかし上蝶番が平面状であって、上の枠部材２と左の枠部材３の枠外周面いずれかに取付けられる形態であっても良い。
（２）上記実施の形態に係る左右の枠部材３，４は、アルミニウム製であった。しかし左右の枠部材が他の金属から形成される金属製または樹脂製であっても良い。
【図面の簡単な説明】
【００３３】
【図１】外枠の斜視図である。
【図２】組付け前の外枠部品の斜視図である。
【図３】下蝶番近傍の外枠の斜視図である。
【図４】滑り板近傍の外枠の斜視図である。
【図５】連結部材の斜視図である。
【図６】右の枠部材の斜視図である。
【図７】外枠の右上角部の斜視図である。
【図８】図７のVIII―VIII線断面矢視図である。
【図９】下蝶番近傍の外枠の分解斜視図である。
【図１０】滑り板近傍の外枠の分解斜視図である。
【図１１】滑り板を備える連結部材の斜視図である。
【符号の説明】
【００３４】
１・・・外枠
２・・・上の枠部材（木製の枠部材）
２ａ，５ａ・・・溝部
３・・・左の枠部材（金属製または樹脂製の枠部材）
４・・・右の枠部材（金属製または樹脂製の枠部材）
５・・・下の枠部材（木製の枠部材）
６・・・飾り板
７・・・下蝶番
８・・・滑り板
１０〜１３・・・連結部材
１０ｃ〜１３ｃ・・・ほぞ部
１１ａ，１１ｂ，１２ａ，１２ｂ，１３ａ，１３ｂ・・・Ｌ字部
１１ａ１，１１ｂ１，１２ａ１，１２ｂ１，１３ａ１，１３ｂ１・・・取付脚
１１ａ２，１１ｂ２，１２ａ２，１２ｂ２，１３ａ２，１３ｂ２・・・取付片
１４・・・上蝶番
【図１】
2007289565.tif 000003
【図２】
2007289565.tif 000004
【図３】
2007289565.tif 000005
【図４】
2007289565.tif 000006
【図５】
2007289565.tif 000007
【図６】
2007289565.tif 000008
【図７】
2007289565.tif 000009
【図８】
2007289565.tif 000010
【図９】
2007289565.tif 000011
【図１０】
2007289565.tif 000012
【図１１】
2007289565.tif 000013